(57)【要約】  簡易な構造で、フェースプレートを開閉することができるエレベータの操作盤を提供する。エレベータの操作盤は、前方に開口した開口部を有したボックスと、前記ボックスの開口部を塞ぐフェースプレートと、前記ボックスの下部の内側に設けられた第１移動規制体と、前記プレートの下部の裏側に設けられ、前記フェースプレートが前記ボックスの開口部を塞いだ状態において前記ボックスの下部の内側と前記第１移動規制体との間に配置され、前記フェースプレートが前記ボックスの開口部を塞いだ状態から前記ボックスの前方側に移動した際に前記ボックスの下部の内側と前記第１移動規制体との間で移動する第２移動規制体と、を備えた。
2020255291.tif 000002
【特許請求の範囲】
【請求項１】
前方に開口した開口部を有したボックスと、
前記ボックスの開口部を塞ぐフェースプレートと、
前記ボックスの下部の内側に設けられた第１移動規制体と、
前記フェースプレートの下部の裏側に設けられ、前記フェースプレートが前記ボックスの開口部を塞いだ状態において前記ボックスの下部の内側と前記第１移動規制体との間に配置され、前記フェースプレートが前記ボックスの開口部を塞いだ状態から前記ボックスの前方側に移動した際に前記ボックスの下部の内側と前記第１移動規制体との間で移動する第２移動規制体と、
を備えたエレベータの操作盤。
【請求項２】
前記第２移動規制体は、
上方に突出し、前記第１移動規制体に引き込まれる上側突起と、
下方に突出し、前記ボックスの下部に引き込まれる下側突起と、
を備えた請求項１に記載のエレベータの操作盤。
【請求項３】
前記第２移動規制体は、前記フェースプレートが前記ボックスに対して予め設定された角度未満の角度で開いている場合は、前記第１移動規制体に移動を規制され、前記フェースプレートが前記ボックスに対して予め設定された角度以上の角度で開いている場合は、前記第１移動規制体による移動の規制から解放される請求項１または請求項２に記載のエレベータの操作盤。
【発明の詳細な説明】
【技術分野】
【０００１】
この発明は、エレベータの操作盤に関する。
【背景技術】
【０００２】
特許文献１は、エレベータの操作盤を開示する。当該操作盤によれば、メンテナンスを容易に行い得る。
【先行技術文献】
【特許文献】
【０００３】
【特許文献１】日本特開平５−１４７８７３号公報
【発明の概要】
【発明が解決しようとする課題】
【０００４】
しかしながら、特許文献１に記載の操作盤においては、フェースプレートをボックスに引き込む構造とフェースプレートを回転させる構造とがそれぞれ別に設けられる。このため、操作盤の構造が複雑になる。【０００５】
この発明は、上述の課題を解決するためになされた。この発明の目的は、簡易な構造で、フェースプレートを開閉することができるエレベータの操作盤を提供することである。
【課題を解決するための手段】
【０００６】
この発明に係るエレベータの操作盤は、前方に開口した開口部を有したボックスと、前記ボックスの開口部を塞ぐフェースプレートと、前記ボックスの下部の内側に設けられた第１移動規制体と、前記プレートの下部の裏側に設けられ、前記フェースプレートが前記ボックスの開口部を塞いだ状態において前記ボックスの下部の内側と前記第１移動規制体との間に配置され、前記フェースプレートが前記ボックスの開口部を塞いだ状態から前記ボックスの前方側に移動した際に前記ボックスの下部の内側と前記第１移動規制体との間で移動する第２移動規制体と、を備えた。
【発明の効果】
【０００７】
この発明によれば、第２移動規制体は、フェースプレートがボックスの開口部を塞いだ状態においてボックスの下部の内側と第１移動規制体との間に配置される。第２移動規制体は、フェースプレートがボックスの開口部を塞いだ状態からボックスの前方側に移動した際にボックスの下部の内側と第１移動規制体との間で移動する。このため、簡易な構造で、フェースプレートを開閉することができる。
【図面の簡単な説明】
【０００８】
【図１】実施の形態１におけるエレベータの操作盤を側方から見た際の断面図である。
【図２】実施の形態１におけるエレベータの操作盤においてフェースプレートが開放する状態を側方から見た際の断面図である。
【図３】図２の要部拡大図である。
【図４】実施の形態１におけるエレベータの操作盤においてフェースプレートの開放が完了した状態を側方から見た際の断面図である。
【図５】図４の要部拡大図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベータの操作盤を側方から見た際の断面図である。
【００１１】
図１に示されるように、パネル１は、エレベータのかご室の側面を形成する。エレベータの操作盤２は、パネル１に形成された穴にはめ込まれる。
【００１２】
操作盤２は、ボックス３とフェースプレート４と第１移動規制体５と第２移動規制体６と紐７とを備える。
【００１３】
例えば、ボックス３の外形は、直方体状に形成される。ボックス３は、前方に向けて開口する。具体的には、ボックス３は、かご室の内側に向けて開口する。ボックス３は、図示されない機器を収納する。フェースプレート４は、ボックス３の開口部をかご室の内側から塞ぐ。
【００１４】
第１移動規制体５は、ボックス３の内部の下部に固定される。第２移動規制体６は、フェースプレート４の裏側に固定される。第２移動規制体６は、上側突起６ａと下側突起６ｂとを備える。上側突起６ａは、第２移動規制体６の基部から上方に突出する。上側突起６ａは、第１移動規制体５の図示されない溝に収まる。下側突起６ｂは、第２移動規制体６の基部から下方に突出する。下側突起６ｂは、ボックス３の図示されない穴とパネル１の図示されない穴とに収まる。
【００１５】
紐７の一側は、ボックス３の上部の内側に固定される。紐７の他側は、フェースプレート４の上部の裏側に固定される。
【００１６】
次に、図２と図３とを用いて、フェースプレート４が開放する状態を説明する。
図２は実施の形態１におけるエレベータの操作盤においてフェースプレートが開放する状態を側方から見た際の断面図である。図３は図２の要部拡大図である。
【００１７】
図２と図３とに示されるように、第１移動規制体５と第２移動規制体６の引き込み機構と上部の引き込み機構とが外れた後、フェースプレート４の上部は、そのまま開放される。フェースプレート４の下部は、第２移動規制体６がボックス３の下部の内側と第１移動規制体５との間をスライドしながら開放される。この際、フェースプレート４は、パネル１との接触を回避しながら全体として前方へ移動しながら開放される。
【００１８】
次に、図４と図５とを用いて、フェースプレート４の開放が完了した状態を説明する。
図４は実施の形態１におけるエレベータの操作盤においてフェースプレートの開放が完了した状態を側方から見た際の断面図である。図５は図４の要部拡大図である。
【００１９】
図４と図５とに示されるように、紐７のたるみがなくなると、フェースプレート４は、ボックス３に対して予め設定された角度未満の角度で開いた状態で停止する。この際、第２移動規制体６は、第１移動規制体５と接触した状態に維持される。このため、フェースプレート４は、ボックス３から取り外される状態にない。
【００２０】
以上で説明した実施の形態１によれば、第２移動規制体６は、フェースプレート４がボックス３の開口部を塞いだ状態においてボックス３の下部の内側と第１移動規制体５との間に配置される。第２移動規制体６は、フェースプレート４がボックス３の開口部を塞いだ状態からボックス３の前方側に移動した際にボックス３の下部の内側と第１移動規制体５との間で移動する。このため、簡易な構造で、フェースプレート４を開閉することができる。
【００２１】
また、フェースプレート４をボックス３に引き込む構造とフェースプレート４を回転させる構造と共通の部品で実現することができる。このため、部品点数が少ない安価な操作盤２を実現することができる。
【００２２】
また、フェースプレート４の回転軸を限りなくボックス３の前側に近づけることで、第２移動規制体６の高さが抑えられる。このため、ボックス３を薄くすることができる。
【００２３】
また、第２移動規制体６において、上側突起６ａは、第１移動規制体５に引き込まれる。下側突起６ｂは、ボックス３の下部に引き込まれる。このため、フェースプレート４を容易に閉じることができる。
【００２４】
また、フェースプレート４がボックス３に対して予め設定された角度未満の角度で開いている場合、第２移動規制体６は、第１移動規制体５に移動を規制される。このため、フェースプレート４が不意に外れて落下することを抑制できる。
【００２５】
なお、フェースプレート４がボックス３に対して予め設定された角度以上の角度で開いている場合、第２移動規制体６を第１移動規制体５による移動の規制から解放させればよい。この場合、ボックス３からフェースプレート４を容易に取り外すことができる。
【産業上の利用可能性】
【００２６】
以上のように、この発明に係るエレベータの操作盤は、エレベータシステムに利用できる。
【符号の説明】
【００２７】
１  パネル、  ２  操作盤、  ３  ボックス、  ４  フェースプレート、  ５  第１移動規制体、  ６  第２移動規制体、  ６ａ  上側突起、  ６ｂ  下側突起、  ７  紐
【図１】
2020255291.tif 000003
【図２】
2020255291.tif 000004
【図３】
2020255291.tif 000005
【図４】
2020255291.tif 000006
【図５】
2020255291.tif 000007
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
前方に開口した開口部を有したボックスと、
前記ボックスの開口部を塞ぐフェースプレートと、
前記ボックスの下部の内側に設けられた第１移動規制体と、
前記フェースプレートの下部の裏側に設けられ、前記フェースプレートが前記ボックスの開口部を塞いだ状態において前記ボックスの下部の内側と前記第１移動規制体との間に配置され、前記フェースプレートが前記ボックスの開口部を塞いだ状態から前記ボックスの前方側に移動した際に前記ボックスの下部の内側と前記第１移動規制体との間で移動する第２移動規制体と、
を備え、
前記第２移動規制体は、
上方に突出し、前記第１移動規制体に引き込まれる上側突起と、
下方に突出し、前記ボックスの下部に引き込まれる下側突起と、
を備えたエレベータの操作盤。
【請求項２】
前記第２移動規制体は、前記フェースプレートが前記ボックスに対して予め設定された角度未満の角度で開いている場合は、前記第１移動規制体に移動を規制され、前記フェースプレートが前記ボックスに対して予め設定された角度以上の角度で開いている場合は、前記第１移動規制体による移動の規制から解放される請求項１に記載のエレベータの操作盤。
【手続補正２】
【補正対象書類名】明細書
【補正対象項目名】０００６
【補正方法】変更
【補正の内容】
【０００６】
この発明に係るエレベータの操作盤は、前方に開口した開口部を有したボックスと、前記ボックスの開口部を塞ぐフェースプレートと、前記ボックスの下部の内側に設けられた第１移動規制体と、前記プレートの下部の裏側に設けられ、前記フェースプレートが前記ボックスの開口部を塞いだ状態において前記ボックスの下部の内側と前記第１移動規制体との間に配置され、前記フェースプレートが前記ボックスの開口部を塞いだ状態から前記ボックスの前方側に移動した際に前記ボックスの下部の内側と前記第１移動規制体との間で移動する第２移動規制体と、を備え、前記第２移動規制体は、上方に突出し、前記第１移動規制体に引き込まれる上側突起と、下方に突出し、前記ボックスの下部に引き込まれる下側突起と、を備えた。
【国際調査報告】
2020255291.tif 000008
2020255291.tif 000009
2020255291.tif 000010
2020255291.tif 000011